(57)【特許請求の範囲】
【請求項１】
枠体が枠内に底部を有し、該底部は平板状で中央には開通孔があり、底部上面の中央より外方に向って描画三角形或は描画多角形の角数に等しい数のガイド溝が放射状に設けてあり、底部の上方には拡縮体があり、該拡縮体はガイド溝に等しい数のスライド板より構成され該各スライド板の下面側にスライドガイドが設けてあり該各スライドガイドが前記各ガイド溝に嵌りスライド自在で拡縮体は円陣状を成し各スライド板には長穴を有していて、拡縮体の上方には円板状の拡縮調整体があり、該拡縮調整体は中央に貫通孔があり外周は前記枠体の内周縁に保持され回転自在で下面側には描画三角形或は描画多角形の角数に等しい数の突起が設けてあり該突起が前記各スライド板の長穴に嵌り、拡縮調整体を回転することで前記突起が前記長穴に沿って移動し円陣状を成した各スライド板はガイド溝に沿って放射状に移動し拡縮体の中央には各スライド板の一辺で囲まれた三角形或は多角形の開孔が拡縮自在に相似形として形成され、枠体の上面には辺長表示目盛及び径長表示目盛を設け、拡縮調整体の上面には前記辺長表示目盛の位置に合わせるための辺長合マーク及び径長合マークを設けていて、拡縮調整体を回転させ任意の辺長目盛位置又は径長目盛位置に辺長合マーク又は径長合マークを合わせることで前記各スライド板の各一辺部分で構成される前記開孔の縁に沿って筆記具等でなぞることで三角形或は多角形の大きさを無段階に描けてタブレット型を有することを特徴とする描画定規。
【請求項２】
描画定規の多角形の角数を増やすことにより描画形状が円形或は楕円形等に近づけることが可能で、粗さ精度を重要視しない円描画或は楕円描画として用いることができる請求項１の描画定規。
【請求項３】
請求項１及び請求項２の各描画定規の枠体外周部に取付溝を有する描画定規に於いて、基板に着脱穴及び取付ガイドを有する着脱基板を設け、該取付ガイドに前記取付溝が嵌り請求項１及び請求項２の描画定規を前記着脱基板に自在に取り付け取り外し使用できることを特徴とする描画定規。
【発明の詳細な説明】
【技術分野】
【０００１】
本発明は円、楕円、円弧、三角形、多角形、の大きさを無段階に且つ容易に描けることのできる描画定規に関するものである。
【背景技術】
【０００２】
従来一般的な描画定規はプラスチック板等に大小異なった円形や三角形及び多角形の描画穴を複数個設け、これら描画穴の縁に沿ってなぞり筆記具等で図形を画き使用するが、円形や三角形及び多角形を描画するための描画穴の大きさが段階的に定まっているため希望する大きさに描けないことが多くコンパスや定規等を使用することになって、手間がかかり不便である。
そこで、円描具として回転式の円板を用いて描く方法が提案され、また多角形描具としてあらかじめ基準となる正多角形を盤上に描設してある方法が提案されている。
【先行技術文献】
【特許文献】
【０００３】
【特許文献１】特開２０００−３２６６９３号公報
【非特許文献】
【０００４】
【非特許文献１】実用登録３１５３１４３号公報
【発明の概要】
【発明が解決しようとする課題】
【０００５】
特許文献１においては円板に複数の貫通孔を設け該貫通孔に筆記具等の先端部を挿入させて描く方法であるが円の大きさを段階的に描く方法であり円の大きさを無段階に描くことは不可能で、希望する円描画の大きさに自由度を欠く。
非特許文献１においては多角形の大きさを決めるために最初コンパスで円を描き後に描設された多角形の各頂点位置を前記円上に定めて頂点を順次結ぶといった方法で実に手間のかかる操作となる。
【課題を解決するための手段】
【０００６】
本発明の描画定規は単体のみで使用可能なタブレット型の描画定規と、タブレット型の描画定規として単体使用が可能であると共に基板に取り付けての使用も可能な複合仕様の基板着脱式の描画定規がある。
【０００７】
枠体が枠内に底部を有し、該底部は平板状で中央には開通孔があり、底部上面の中央より外方に向って描画三角形或は描画多角形の角数に等しい数のガイド溝が放射状に設けてあり、底部の上方には拡縮体があり、該拡縮体はガイド溝に等しい数のスライド板より構成され該各スライド板の下面側にスライドガイドが設けてあり該各スライドガイドが前記各ガイド溝に嵌りスライド自在で拡縮体は円陣状を成し各スライド板には長穴を有していて、拡縮体の上方には円板状の拡縮調整体があり、該拡縮調整体は中央に貫通孔があり外周は前記枠体の内周縁に保持され回転自在で下面側には描画三角形或は描画多角形の角数に等しい数の突起が設けてあり該突起が前記各スライド板の長穴に嵌り、拡縮調整体を回転することで前記突起が前記長穴に沿って移動し円陣状を成した各スライド板はガイド溝に沿って放射状に移動し拡縮体の中央には各スライド板の一辺で囲まれた三角形或は多角形の開孔が拡縮自在に相似形として形成され、枠体の上面には辺長表示目盛及び径長表示目盛を設け、拡縮調整体の上面には前記辺長表示目盛の位置に合わせるための辺長合マーク及び径長合マークを設けていて、拡縮調整体を回転させ任意の辺長目盛位置又は径長目盛位置に辺長合マーク又は径長合マークを合わせることで前記各スライド板の各一辺部分で構成される前記開孔の縁に沿って筆記具等でなぞることで三角形或は多角形の大きさを無段階に描画できるタブレット型の描画定規である。
【０００８】
描画定規の多角形の角数を増やすことにより描画形状が円形或は楕円形等に近づけることが可能で、粗さ精度を重要視しない円描画或は楕円描画として大きさを無段階に描画できる段落０００７記載の描画定規である。
【０００９】
段落０００７、０００８記載の各描画定規の枠体外周部に取付溝を有する描画定規に於いて、基板に着脱穴及び取付ガイドを有する着脱基板を設け、該取付ガイドに前記取付溝が嵌り段落０００７、０００８記載の描画定規を前記着脱基板に自在に取り付け取り外し使用できる基板着脱式の描画定規である。
【発明の効果】
【００１０】
本考案の描画定規は三角形或、多角形、円形等の大きさを無段階に描けるタブレット型の描画定規と、更にこれらのタブレット型描画定規の複数を自在に着脱基板に取り付けて使用できる基板着脱式の描画定規があって、基板着脱式の描画定規はタブレット型描画定規の使用選択の自由度を重視する場合に便利で、扱い易く簡便且つ迅速に多種複数の描画を形成できる優れた効果がある。
【図面の簡単な説明】
【００１１】
【図１】タブレット型描画定規（六角形）の分解図
【図２】タブレット型描画定規（六角形）の断面図
【図３】タブレット型描画定規（六角形）の動作図ア
【図４】タブレット型描画定規（六角形）の動作図イ
【図５】タブレット型描画定規（六角形）の動作図ウ
【図６】タブレット型描画定規（多角円形）図
【図７】タブレット型描画定規（多角楕円形）図
【図８】タブレット型描画定規の基板着脱状態図
【図９】タブレット型描画定規の基板装着状態図
【発明を実施するための形態】
【００１２】
本発明の描画定規として、段落０００７、０００８記載の各描画定規について図を基に機構及び操作について説明します。
記載図は枠体側部にガイド溝を設けた基板への着脱が可能な複合仕様の描画定規で説明します。
【００１３】
（１）タブレット型描画定規の機構及び操作の説明
（機構について）
多角形等を描くタブレット型描画定規は、底部の各ガイド溝が同形状で互いの夾角が等しく底部中心からの距離が等しく、各スライド板は同形状で、拡縮調整体の各突起は等間隔で拡縮調整体の中心からの距離を等しくすることが可能である。
正六角形のタブレット型描画定規を例として、図１及び図２に示すように拡縮調整体６２は枠体上部６１ａの嵌合ガイド６１ｉと枠体底部６１ｂの嵌合溝６１ｊとが嵌合されて拡縮調整体６２の回転スライドガイド６２ｇが枠体上部６１ａの回転スライド溝６１ｈと枠体底部６１ｂの上面に保持され拡縮調整体６２は回転自在で、拡縮調整体６２の各突起６２ａ乃至６２ｆが拡縮体６３の各スライド板６３ａ乃至６３ｆの長穴６３ａ１乃至６３ｆ１に嵌り、拡縮体６３の各スライドガイド６３ａ２乃至６３ｆ２が枠体底部６１ｂのガイド溝６１ｐ乃至６１ｕに嵌っている。
枠体６１に対し拡縮調整体６２を回転させることで各突起６２ａ乃至６２ｆは各長穴６３ａ１乃至６３ｆ１の内側面を押圧しながらスライド移動すると共に各スライドガイド６３ａ２乃至６３ｆ２がガイド溝６１ｎに沿ってスライド移動して各スライド板６３ａ乃至６３ｆが囲む６角開孔６５が相似形として拡縮する。
枠体上部６１ａには正六角形の中心から頂点までの長さとしての径長を示す径長目盛６１ｄと径長値６１ｃを設け、更に正六角形の一辺の長さとしての辺長を示す辺長目盛６１ｅと辺長値６１ｆを設けていて、拡縮調整体６２には径長目盛６１ｄ及び辺長目盛６１ｅに合わせるための径長合マーク６２ｉ及び辺長合マーク６２ｈを設けている。
正六角形の場合は径長値６１ｃと辺長値６１ｆは等しい。
図６は多角円形のタブレット型描画定規の例で多角円開孔Ｃ５は正十六角形により形成されていて多角円の大きさを表す直径を直径目盛Ｃ１ｅと直径値Ｃ１ｆで示し、半径を半径目盛Ｃ１ｄと半径値Ｃ１ｃで示している、図７は多角楕円形のタブレット型描画定規の例で多角楕円開孔Ｅ５は非正十八角形により形成されて多角楕円の大きさを表す長軸を長軸目盛Ｅ１ｄと長軸値Ｅ１ｃで示し、短軸を短軸目盛Ｅ１ｅと短軸値Ｅ１ｆで示している、何れも拡縮調整体Ｃ２或はＥ２を回転させることで多角円開孔Ｃ５及び多角楕円開孔Ｅ５は相似形として拡縮する。
拡縮調整体には滑り止めを設け操作し易いようにしている。
（操作について）
正六角形の描画の大きさを径長で決めるか辺長で決めるかを選択して拡縮調整体６２を回転させ、径長を選択の場合は径長合マーク６２ｉをＲｍｍ指示の径長目盛６１ｄに合わせ、辺長を選択の場合は辺長合マーク６２ｈをＬｍｍ指示の辺長目盛６１ｅに合わせ筆記具で６角開孔６５の縁に沿ってなぞる。
多角円形の描画に於いては拡縮調整体Ｃ２を回転させ、希望する円の大きさを直径で指定する場合は直径合マークＣ２ｈをＤｍｍ指示の直径目盛Ｃ１ｅに合わせ、半径で指定する場合は半径合マークＣ２ｉをＲｍｍ指示の半径目盛Ｃ１ｄに合わせ筆記具で多角円開孔Ｃ５の縁に沿ってなぞる。
多角楕円形の描画に於いては拡縮調整体Ｅ２を回転させ、希望する楕円の大きさを長軸で指定する場合は長軸合マークＥ２ｉをａｍｍ指示の長軸目盛Ｅ１ｄに合わせ、短軸で指定する場合は短軸合マークＥ２ｈをｂｍｍ指示の短軸目盛Ｅ１ｅに合わせ筆記具で多角楕円開孔Ｅ５の縁に沿ってなぞる。
方眼紙等の目盛線に合わせて使用する場合は各基準線合マーク６１ｇ、Ｃ１ｇ、Ｅ１ｇを目盛線に合わせて使用する。
本例のタブレット型の描画定規に於いて、拡縮調整体Ｃ２を時計回りで開孔は拡大し、反時計回りで縮小する。
操作状態図として図２及び図３は６角開孔６５の拡縮の大きさは一辺或は半径が７．５ｍｍで、図４は６角開孔６５の拡縮の大きさは一辺或は半径が１５ｍｍで、図５は６角開孔６５が０ｍｍで正六角形の中心を示すことができる。
図６の多角円開孔Ｃ５の拡縮の大きさは半径が１５ｍｍで、図７の多角楕円の開孔Ｅ５は長軸が１５ｍｍで短軸が１０ｍｍの状態を示している。
【００１４】
（２）基板着脱式の描画定規の機構及び操作の説明
（機構について）
図８の着脱基板１００に於いて着脱穴１０５及び１０２には取付ガイド１０５ａ乃至１０５ｄ及び１０２ａ乃至１０２ｄを設けていてタブレット型描画定規を自在に取付け取り外しが可能になっている。
着脱穴１０５等の中心を通り着脱基板１００の水平線上に水平基準線１００ａ及び垂直線上に垂直基準線１００ｂを設けている。
（操作について）
図８に於いて五角形タブレット型描画定規５０を装着する場合は着脱基板１００の上面より着脱穴に合わせて五角形タブレット型描画定規５０の取付溝５１ｋ１乃至５１ｋ４を着脱基板１００の取付ガイド１０５ａ乃至１０５ｄに沿うように下方に押して嵌め込み取り付ける。
タブレット型描画定規を基板より取り外す場合はタブレット型描画定規の枠体下部、或は枠体底部を指等で押さえて基板より上方に押し出す。  取付後の描画操作はタブレット型描画定規の単体状態の仕様と同様に扱う。  方眼紙等の目盛線に合わせて使用する場合は基準線１１０を目盛線に合わせて使用する。
図８は着脱基板１００に五角形のタブレット型描画定規５０の着脱前後状態を表し、六角形のタブレット型描画定規６０を着脱基板１００に装着した状態を表している。
図９は９種のタブレット型描画定規を着脱基板２００に装着した状態を示していて、三角形３０、四角形４０、五角形５０、六角形６０、七角形７０、八角形８０、九角形９０、多角円Ｃ０、多角楕円Ｅ０のそれぞれを装着している。
【符号の説明】
【００１５】
３０三角形タブレット型描画定規
４０四角形タブレット型描画定規
５０五角形タブレット型描画定規
６０六角形タブレット型描画定規
６１枠体
６１ａ枠体上部
６１ｂ枠体底部
６１ｃ径長値
６１ｄ径長目盛
６１ｅ辺長目盛
６１ｆ辺長値
６１ｇ１乃至６１ｇ４基準線合マーク
６１ｈ回転スライド溝
６１ｉ１乃至６１ｉ４嵌合ガイド
６１ｊ１乃至６１ｊ４嵌合溝
６１ｋ１乃至６１ｋ４取付溝
６１ｍ開通孔
６１ｐ乃至６１ｕガイド溝
６２拡縮調整体
６２ａ乃至６２ｆ突起
６２ｇ回転スライドガイド
６２ｈ辺長合マーク
６２ｉ径長合マーク
６３拡縮体
６３ａ乃至６３ｆスライド板
６３ａ１乃至６３ｆ１長穴
６３ａ２乃至６３ｆ２スライドガイド
６５６角開孔
７０七角形タブレット型描画定規
８０八角形タブレット型描画定規
９０九角形タブレット型描画定規
Ｃ０多角円形タブレット型描画定規
Ｅ０多角楕円形タブレット型描画定規
１００着脱基板
１００ａ水平基準線
１００ｂ垂直基準線
１０２着脱穴
１０２ａ乃至１０２ｄ取付ガイド
１０５着脱穴
１０５ａ乃至１０５ｄ取付ガイド
２００着脱基板
３００基板
３５０タブレット型５角形描画部
３６０タブレット型６角形描画部
３Ｃ０タブレット型多角円形描画部
【要約】
【課題】円、円弧、放射状線、三角形、多角形、楕円等の大きさを無段階に且つ容易に描画できる定規を提供する。
【解決手段】枠内に設けた回転調整体の回転操作及び該回転調整体に設けた径調整体のスライド操作により円或は円弧等の大きさを無段階に描けるタブレット型の描画定規と、枠内に設けた拡縮調整体の回転操作により拡縮調整体の中央に拡縮体が造る三角形或は多角形等の開孔の大きさを無段階に描けるタブレット型の描画定規があり、更にこれらのタブレット型描画定規の複数を混在自在に着脱基板に取り付けて使用できる基板着脱式の描画定規と、タブレット型の描画定規の機能を基板に任意複数組み込んだ基板組込式の描画定規があり各描画定規の選択肢の自由度が広く、扱い易く簡便且つ迅速に多種複数の描画を形成できることを特徴とする描画定規。
【選択図】    図１【図１】
0005854301.tif 000002
【図２】
0005854301.tif 000003
【図３】
0005854301.tif 000004
【図４】
0005854301.tif 000005
【図５】
0005854301.tif 000006
【図６】
0005854301.tif 000007
【図７】
0005854301.tif 000008
【図８】
0005854301.tif 000009
【図９】
0005854301.tif 000010